【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
複数のクライアント局を備えており、各クライアント局が、データを送信及び受信することができる通信ネットワークの動作方法であって、前記ネットワークは、少なくとも１つの適時選択した中間クライアント局を介して発信クライアント局から宛先クライアント局に複数のデータ・パケットから成るメッセージを送信することができ、前記方法は、
ｉ．各局からプローブ信号を送信し、探査局から前記プローブ信号を受信した他の局が、直接又は他の局を介して間接的に応答し、前記探査局に、宛先局又は中間局としてのそれらの利用可能性を示すステップと、
ｉｉ．送信するデータを有する局から、送出要求メッセージを有しているプローブ信号を送信するステップであって、前記送出要求メッセージは、特定の１又は複数の宛先局にデータを送出する必要性を示し、前記送出データを有する局による以降の送信のために、以前に受信したデータに関する識別情報を含む、ステップと、
ｉｉｉ．前記送出データを有する局から、前記１又は複数の宛先局への以降の送信のために、１又は複数の利用可能な局に到達するように、適時データを送信するステップと、
ｉｖ．以降の送信のために前記データを受信した局から、前記データに関する識別情報を含む送出要求メッセージを備えている別のプローブ信号を送信することによって、前記受信データの暗黙承認を、前記送出データを有する局、及びその他の利用可能な局に供給するステップと、
を備えていることを特徴とする方法。
【請求項２】
請求項１記載の方法において、前記送出データを有する局が、送出要求メッセージを備えている前記プローブ信号を送信するとき、前記送出データを有する局よりも宛先までのコストが低い局のみが、それらの宛先又は中間局としての利用可能性を示すために、前記プローブ信号に応答することを特徴とする方法。
【請求項３】
請求項２記載の方法において、宛先までのコストが高い局が、宛先までのコストが低い別の局からの、同一データに関する送出要求メッセージを受けた場合、前記データを承認したものとして扱うことを特徴とする方法。
【請求項４】
請求項１〜３のいずれかに記載の方法において、該方法は、複数のクライアント局と、クライアント局のためにネットワークへのアクセス・ポイントとして役割を果たすように配置された１又は複数のゲートウェイとを備えているネットワークで使用可能に構成されていることを特徴とする方法。
【請求項５】
請求項４記載の方法において、該方法は、クライアント局及び／又はゲートウェイが通信することができる複数のシード局を含むネットワークで使用可能に構成されており、前記複数のシード局は、前記クライアント局の有効接続範囲を拡大することを特徴とする方法。
【請求項６】
請求項５記載の方法において、前記ネットワークは更に、前記クライアント局のアクティビティを監視する少なくとも１つの加入者ネットワーク・マネージャを含むことを特徴とする方法。
【請求項７】
請求項１〜６のいずれかに記載の方法において、前記発信局から送信されたメッセージ・データは、複数のデータ・パケットを備えていることを特徴とする方法。
【請求項８】
請求項１〜７のいずれかに記載の方法であって、各局において、プローブ信号の他の局への送信のために、１又は複数のデータ・チャネルとは別個のプローブ・チャネルを選択するステップを含むことを特徴とする方法。
【請求項９】
請求項８項に記載の方法において、前記送出要求メッセージは、局が、データ・チャネル上でデータを送信する必要なく、前記プローブ・チャネル上で送信されるプローブ信号の機構によって、情報を通信できるように、メッセージ・データを含むことを特徴とする方法。
【請求項１０】
請求項９記載の方法において、送信要求メッセージに含まれる前記メッセージ・データは、データ・チャネル上のデータ送信におけるデータ量と比較すると、相対的に少量又は限定された量のデータを備えていることを特徴とする方法。
【請求項１１】
請求項１０記載の方法において、送信要求メッセージに含まれる前記メッセージ・データは、優先度が高いメッセージ・データを備えていることを特徴とする方法。
【請求項１２】
請求項１〜１１のいずれかに記載の方法において、前記受信局が送出要求メッセージを必要とする送出メッセージ・データを有していない場合、以降の送信のために前記データを受信した局が送出する前記送出要求メッセージは、ダミー情報を備えており、これによって前記受信データの暗黙承認を、前記送出データを有する局に供給することを特徴とする方法。
【請求項１３】
請求項１〜１２のいずれかに記載の方法であって、メッセージの全データ・パケットを受信した各宛先局から、端末間承認を送出要求メッセージに収容して、発信局に送信するステップを含むことを特徴とする方法。
【請求項１４】
請求項１３記載の方法において、各発信局は、当該発信局が前記宛先局から端末間承認を受信するまで、前記メッセージの全データ・パケットを保持することを特徴とする方法。
【請求項１５】
請求項１４記載の方法において、各宛先局は、当該宛先局が前記端末間承認を前記発信局に送信するまで、前記メッセージの全データ・パケットを保持することを特徴とする方法。
【請求項１６】
請求項１〜１５のいずれかに記載の方法において、送出データを有する各局は、当該送信するデータを有する局が前記少なくとも１つのデータ・パケットを受信局に送信し終えるまで、及び前記受信局が、前記送信データ・パケットに関する情報を収容した送出要求メッセージを送信することによって、前記送信データ・パケットの受信成功を確認するまで、少なくとも１つのデータ・パケットを保持することを特徴とする方法。
【請求項１７】
請求項８記載の方法において、ある局が大量の送出データを有する場合、送信を受信する準備ができている局があることを、前記送信データを有する局に知らせるために、送信要求メッセージを送信して、利用可能な局に送信解除メッセージを送るように要求し、前記送信データを有する局及び前記送信解除メッセージを送る局が、前記データの送信のために、データ・チャネルに切り換えることを特徴とする方法。
【請求項１８】
請求項１７記載の方法において、前記送出要求メッセージは、他の局が送信解除メッセージを返送する必要性を制限する判断基準を指定するデータを含むことを特徴とする方法。
【請求項１９】
請求項１８記載の方法において、前記判断基準は、回答することを許可された局のリスト、及び前記送出要求メッセージを受信した局の内、前記送出データを有する局よりも宛先までのコストが低い局のみが応答するという要求の１又は複数を含むことを特徴とする方法。
【請求項２０】
複数のクライアント局を備えており、各々、データを送信及び受信することができる通信ネットワークであって、該ネットワークは、少なくとも１つの選択された中間クライアント局を介して発信クライアント局から宛先クライアント局に複数のデータ・パケットから成るメッセージを送信することができ、前記ネットワークが、
ｉ．プローブ信号を送信し、探査局から前記プローブ信号を受信した他の局が、直接又は他の局を介して間接的に応答し、前記探査局に、宛先局又は中間局としてのそれらの利用可能性を示し、
ｉｉ．前記局が送信データを有する場合、送出要求メッセージを備えているプローブ信号を他の利用可能な局に送信し、前記送出要求メッセージは、特定の１又は複数の宛先局にデータを送出する必要性を示し、前記送出データを有する局による以降の送信のために、以前に受信したデータに関する識別情報を含み、
ｉｉｉ．前記１又は複数の宛先局への以降の送信のために、１又は複数の利用可能な局に到達するように、適時データを送信し、
ｉｖ．前記局が以降の送信のために前記データを受信した場合、前記データに関する識別情報を含む送出要求メッセージを備えている別のプローブ信号を送信することによって、前記受信データの暗黙承認を、前記送出データを有する局、及びその他の利用可能な局に供給する、
ように構成されていることを特徴とする通信ネットワーク。